(57)【特許請求の範囲】
【請求項１】
底面に吸込口を有する吸込室が設けられた吸込口本体と、前記吸込口に沿って前記吸込室内に配設された回転清掃体とを備え、
前記回転清掃体は、前記吸込口に沿って延び且つ両端部が前記吸込口本体に軸受を介して回転自在に保持された回転軸と、前記回転軸に周方向に間隔をおいて突設され且つ前記回転軸に沿って両端部まで延びる柔軟且つ保形性のある複数のブレードを有する吸込口体において、
前記軸受は前記吸込口の両端部から吸込室の両端部内に突出させられ、前記ブレードの端部には前記軸受の周囲まで延び且つ前記吸込口の端部とほぼ等しい位置まで延設された延長部が設けられ、
前記ブレードは回転軸に螺旋状に取付けられていると共に、前記吸込室に作用する吸込負圧で外気を前記吸込室内に導入して、前記回転清掃体を回転させる空気流を前記ブレードに作用させることが可能な空気導入口を設け、
更に、螺旋状の柔軟なブレードの端部に位置する前記延長部が、回転方向下流側へ向いた片持ち状態となっており、回転清掃体の回転に伴い慣性で回転方向上流側へ屈曲されるよう構成したことを特徴とする吸込口体。
【請求項２】
前記ブレードの両端部には、前記回転軸から半径方向に立上がる立上部と、該立上部から前記延長部の端部へ向かう傾斜部とが形成されていることを特徴とする請求項１記載の吸込口体。
【請求項３】
前記延長部を設けたブレードは少なくとも一対互いに１８０°位相をずらして設けられていることを特徴とする請求項１又は２に記載の吸込口体。
【請求項４】
請求項１〜３いずれかに記載の吸込口体を備えたことを特徴とする電気掃除機。
【発明の詳細な説明】
【０００１】
【発明の属する技術分野】
この発明は、絨毯等の清掃面の塵埃を掻き上げる回転清掃体が吸込室内に配設された電気掃除機に関するものである。
【０００２】
【従来の技術】
従来の電気掃除機としては、例えば図６〜図８に示すようなものが提案されている。
【０００３】
この電気掃除機は電気掃除機本体１を有する。この電気掃除機本体１の前部には集塵室となるダストケース２が設けられ、このダストケース２には可撓性のホース３と屈曲された手元操作管４と延長管５とが順次接続されている。この延長管５の先端には、接続管６と吸込口本体７とからなる吸込口体８が着脱可能に取付けられている。この吸込口本体７は、上ケース９及び下ケース１０と、ケース９，１０間に介装されたバンパ１１を有する。この下ケース１０には底面部に開口する吸込口１２が形成されている。
【０００４】
しかも、吸込口体８には、図７・図８に示すように、吸込口本体７の内部に、絨毯等の清掃面の塵埃を掻き上げるための回転清掃体１３が設けられている。この回転清掃体１３は、吸込口１２の長手方向へ延びる軸芯部１４と、該軸芯部１４から周方向に間隔を置いて突設された複数枚の可撓性のブレード１５とを備えている。また、回転清掃体１３は、図８に示すように、軸芯部１４の両端部分に嵌着されたブレード押え１６と、軸芯部１４の内部を通してブレード押え１６から両端を突出された回転軸１７と、該回転軸１７の両端を支承する軸受１８とを備えている。この軸受１８は、下ケース１０における吸込口１２の左右方向両端部に吸込口１２の内方へ向けて突出形成された軸受支持部１９によって支持されている。
【０００５】
この回転清掃体１３は、図７に示すように、上ケース９に形成された吸込室２０内に収容されている。この上ケース９の前部には、回転清掃体１３を回転させる空気を導入するための空気導入口２１が開口されている。また、吸込口本体７の内側には空気導入口２１から導入した空気をブレード１５に向けて案内するためのガイド壁２２が形成されている。
【０００６】
この様な電気掃除機では、電気掃除機本体１を作動させて、吸込口本体７を絨毯等の床面（清掃面）におくと、底面に形成された吸込口１２や空気導入口２１から空気が吸引される。この際、吸込口１２は床面によってほぼ塞がれた状態となっているために、空気導入口２１から導入される空気が増大し、この空気の流れにより回転清掃体１３が回転駆動されて、清掃面の塵埃が回転清掃体１３のブレード１５で掻き上げられる。この掻き上げられた塵埃は、その後、接続管６，延長管５，可撓性のホース３を介して掃除機本体１へと吸引され捕集される。
【０００７】
そして、吸込口本体７が床面から離されると、吸込室２０の空気圧が大気圧とほぼ同じになるので、空気導入口２１から導入される空気量が減少して回転清掃体１３の回転が停止或いは低下する。
【０００８】
【発明が解決しようとする課題】
しかしながら、上述の電気掃除機では、図８に示すように、吸込口１２の左右方向両端部に吸込口１２の内方へ向けて突出形成された軸受支持部１９間に回転清掃体１３を配置しているため、従来の回転清掃体１３は、その軸線方向の寸法が、軸受支持部１９間の間隔よりも僅かに短くなるように形成されていた。
【０００９】
そのため、回転清掃体１３の端部と、吸込口１２の端部との間に、間隙２３が形成されてしまい、この間隙２３の部分では、回転清掃体１３による払拭清掃ができないため、塵埃の取残しを生じるという問題があった。
【００１０】
また、回転清掃体１３の端部と吸込口１２の端部との間に間隙２３があるため、該間隙２３から糸屑や髪の毛などが容易に入り込み、回転清掃体１３の回転軸１７に絡みつき易いという問題があった。しかも、回転清掃体１３の回転軸１７に糸屑や髪の毛などが絡みつくと、回転清掃体１３の回転が妨げられて、回転清掃体１３による払拭清掃に支障を生じることになる。また、一旦、回転清掃体１３の回転軸１７に糸屑や髪の毛などが絡みつくと、これらを除去するのに手間が掛るという問題もある。
【００１１】
そこで、本発明の目的は、上記の問題点を解消し、回転清掃体の端部と吸込口の端部との間の間隙をなくすことのできる電気掃除機を提供することにある。
【００１２】
【課題を解決するための手段】
上記課題を解決するために、請求項１に記載された発明では、底面に吸込口を有する吸込室が設けられた吸込口本体と、前記吸込口に沿って前記吸込室内に配設された回転清掃体とを備え、前記回転清掃体は、前記吸込口に沿って延び且つ両端部が前記吸込口本体に軸受を介して回転自在に保持された回転軸と、前記回転軸に周方向に間隔をおいて突設され且つ前記回転軸に沿って両端部まで延びる柔軟且つ保形性のある複数のブレードを有する吸込口体において、前記軸受は前記吸込口の端部から吸込室の両端部内に突出させられ、前記ブレードの端部には前記軸受の周囲まで延び且つ前記吸込口の端部とほぼ等しい位置まで延設された延長部が設けられていることを特徴としている。
【００１３】
このように構成された請求項１にかかる発明では、前記ブレードの端部には前記軸受の周囲まで延び且つ前記吸込口の端部とほぼ等しい位置まで延設された延長部が設けられているため、回転清掃体の端部と、吸込口の端部との間の間隙を実質的になくすことができるので、回転清掃体によって払拭清掃ができない部分がなくなり、特に壁際まで塵埃の取残しを防止することができる。
【００１４】
また、回転清掃体の端部と吸込口の端部との間の間隙を実質的になくすことができるため、糸屑や髪の毛などが入り込んで、回転清掃体の回転軸に絡みつくことを防止することができる。これにより、回転清掃体の回転が妨げられて、回転清掃体による払拭清掃に支障を生じることをなくすことができ、且つ、回転清掃体の回転軸から糸屑や髪の毛などを除去する手間を省くことが可能となる。
【００１５】
また、請求項１に記載された発明では、前記ブレードは回転軸に螺旋状に取付けられていると共に、前記吸込室に作用する吸込負圧で外気を前記吸込室内に導入して、前記回転清掃体を回転させる空気流を前記ブレードに作用させることが可能な空気導入口を設け、更に、螺旋状の柔軟なブレードの端部に位置する前記延長部が、回転方向下流側へ向いた片持ち状態となっており、回転清掃体の回転に伴い慣性で回転方向上流側へ屈曲されるよう構成したことを特徴としている。
【００１６】
このように構成された請求項１にかかる発明では、上記ブレードを、回転清掃体の軸芯部の回りに、螺旋状に取付けることにより、空気導入口から導入された空気がブレードの軸線方向に対し時間がずれて当たるようになるので、各ブレードは導入された空気流から持続的な回転力を得られることとなり、結果として回転清掃体は、安定した回転を行うことができる。
【００１７】
そして、柔軟で且つ保形性のあるブレードの先端部に形成された延長部は、片持ち状態となっているため、ブレードの他の部分に比べて特に変形し易く、回転清掃体の回転に伴い、慣性でその場に残ろうとして容易に回転方向上流側へ屈曲されることとなる。このように、延長部が回転方向上流側へ屈曲されると、ブレードが全体として空気流を受け止め易い形状となるので、延長部が屈曲されない場合に比べて、より大きな回転力を得ることが可能となる。特に、ブレードが回転清掃体の軸芯部の回りに螺旋状に取付けられている場合には、屈曲前の延長部は回転方向下流側へ向いており、ブレードは全体として空気流を受け流し易い形状となっているので、一層、上記延長部の屈曲による効果が大きくなる。
【００１８】
また、請求項２に記載された発明では、前記ブレードの両端部には、前記回転軸から半径方向に立上がる立上部と、該立上部から前記延長部の端部へ向かう傾斜部とが形成されていることを特徴としている。
【００１９】
このように構成された請求項２にかかる発明では、ブレードの端部には、前記回転軸から半径方向に立上がる立上部と、この立上部から前記延長部の端部へ向かう傾斜部とが形成されているので、ブレードの端部の基部に応力が集中して亀裂が入り易くなるようなことを防止することが可能となる。即ち、ブレードの端面には応力が集中するような内角の角部が回転軸に接して設けられていないので、ブレードの端部の半径方向に延びる端面を有する基部には回転軸から作用する応力で亀裂が生じ易い部分がなく、ブレードの長寿命化を図ることができる。
【００２０】
また、請求項３に記載された発明では、前記延長部を設けたブレードは少なくとも一対互いに１８０°位相をずらして設けられていることを特徴としている。
【００２１】
このように構成された請求項３にかかる発明では、上記延長部を設けたブレードを、回転清掃体の軸芯部に対して１８０度位相のずれた位置に、少くとも一対取付けることにより、回転清掃体の周方向に対するバランスが良くなり、スムーズで安定した回転を得ることができる。
【００２２】
また、請求項４に記載された発明では、請求項１〜３のいずれかに記載の吸込口体を電気掃除機に備えたことを特徴としている。
【００２３】
このように構成された請求項４にかかる発明では、上記請求項１〜３と同様の効果を得られると共に、上記したような吸込口体を接続して使用することにより、掃除機の清掃能力を向上することが可能となる。
【００２４】
【発明の実施の形態１】
以下、本発明の具体的な実施の形態１について、図示例と共に説明する。
【００２５】
図１〜図５は、この発明の実施の形態１を示すものである。
【００２６】
電気掃除機本体２４には、内部に集塵室２５と、該集塵室２５を負圧にする電動送風機２６とが設けられている。この集塵室２５内には集塵フィルタ２７が配設されている。２８は一端が電気掃除機本体２４に着脱可能に接続されている可撓性のホースで、このホース２８の他端には手元操作管２９が設けられている。手元操作管２９には把手部３０と操作部３１とが設けられており、該操作部３１には電動送風機２６の電源を切るオフスイッチＳ1や電動送風機２６のパワーを設定する設定スイッチＳ2，Ｓ3等が設けられている。
【００２７】
手元操作管２９には延長管３２が着脱可能に接続され、延長管３２の先端部には吸込口体３３の接続管３４が着脱可能に接続されている。
【００２８】
前記吸込口体３３は、吸込口本体３５と、この吸込口本体３５の前後方向４１後側の部分に回転継手３６を介して設けられた前記接続管３４とを備えている。吸込口本体３５は、図２に示すように、断面がドーム状の上ケース３７と、この上ケース３７の下に取り付けられた下ケース３８とを有している。下ケース３８の底部には、集塵用の吸込口３９が形成されている。
【００２９】
吸込口本体３５内には吸込室４０が形成され、吸込室４０内には回転清掃体４３が配設されている。この回転清掃体４３は、吸込口本体３５の左右方向４２（即ち、吸込口３９の長手方向）へ延びて、被掃除面である絨毯等の床面から塵埃や汚れを掻き上げる機能を有する。
【００３０】
該回転清掃体４３は、合成ゴムなどの弾性を有するエラストマから成り、前記左右方向４２へ延びる軸芯部４４と、該軸芯部４４から周方向に間隔を置き突設されて床面を払拭するようにした、軸芯部４４と等幅の複数枚のブレード４５とで構成されている。
【００３１】
更に、上記回転清掃体４３には、図３・図４に示すように、軸芯部４４の両端部分に嵌着されたブレード押え４６と、軸芯部４４の内部を通してブレード押え４６から両端を突出された回転軸４７と、該回転軸４７の両端を支承する軸受４８とが取付けられている。この軸受４８は軸受支持部４９によって保持され、この軸受支持部４９は下ケース３８の両端部に設けられていると共に吸込口２９の内方へ向けて突出形成されている。尚、図示は省略したが、軸受４８は上ケース３７の両端部に設けられた図示しない押さえ突部で軸受支持突部４９に押さえ付けられている。
【００３２】
また、上ケース３７の前部には、図２に示すように、吸込室４０内に斜め上方へ向けて空気を導入することにより回転清掃体４３を図中反時計回りに回転させるための駆動手段としての空気導入口５０が開口されている。この回転清掃体４３のブレード４５は、空気を受ける側の面が凹面となるよう湾曲されており、その先端部５１は、回転清掃体４３の半径方向を基準として基部５８よりも回転方向上流側に傾けて取付けられている。
【００３３】
さらに、上記複数のブレード４５は、回転清掃体４３の軸芯部４４に対して１８０度位相のずれた位置に、対をなすように（図２では３対）取付けられている。また、上記ブレード４５は、図２・図４に示すように、回転清掃体４３の軸芯部４４の回りに、螺旋状に取付けられている。尚、図３については、説明の都合上、ブレード４５は直線状に描かれているが、ブレード４５を、螺旋状ではなく、直線状に取付けても良い。
【００３４】
加えて、ブレード４５の先端部５１には、図３・図４に示すように、回転清掃体４３の軸線方向（左右方向４２）へ延びて、吸込口３９の端部とほぼ等しい位置Ａに達する延長部５２が形成されている。
【００３５】
前記ブレード４５の端部は、基部５８の位置に、回転清掃体４３の半径方向、より詳しくは、回転清掃体４３の軸線方向（左右方向４２）と垂直に交わる面に平行な方向へ立上がる立上部５３を有している。前記延長部５２は、所要の立上部５３を有した先端部５１側の端部に形成されている。そして、延長部５２には、立上部５３から先端部５１側へ進むに従って延長部５２の端部へ向かうよう直線状或いは曲線状の傾斜部５４が形成されている。
【００３６】
また、前記延長部５２は、全てのブレード４５に取付けるようにしても良いが、必ずしも全てのブレード４５に取付ける必要はない。例えば、ブレード４５のうちのいくつかに限定的に取付ける場合には、少くとも、回転清掃体４３の軸芯部４４に対して１８０度位相のずれた位置にある一対のブレード４５に対して取付けるようにする。
【００３７】
尚、図中、５５は下ケース３８の前部に取付けられた前側ローラ、５６は下ケース３８の後部に設けた接続管３４の倒れ止め５７に取付けられた後側ローラ５６である。
【００３８】
次に、上記の電気掃除機の作動について説明する。
【００３９】
先ず、図１に示すように、電気掃除機本体２４に可撓性のホース２８を接続するとともにこのホース２８に取付けられた手元操作管２９に延長管３２を接続し、この延長管３２に吸込口体３３の接続管３を接続する。そして、スイッチＳ1またはスイッチＳ2を押すと、電動送風機２６が設定されたパワーで動作して集塵室２５が負圧になる。これにより、集塵室２５にホース２８，延長管３２および接続管３４を介して接続された吸込口体３３の吸込室４０が負圧となり、吸込口３９や導入口１５から空気が吸引されていく。
【００４０】
この状態で吸込口本体３５を床面におくと、前側ローラ５５と後側ローラ５６により、床面と下ケース３８との間に狭い隙間ができ、この隙間から空気が吸引されて吸込口３９内へ入り込むことになるが、上記隙間が狭いために、駆動手段としての空気導入口５０から導入される空気の割合が増加し、回転清掃体４３のブレード４５に当たる空気流が多くなり、回転清掃体４３は回転される。この回転清掃体４３の回転により回転清掃体４３は床面を払拭清掃していく。
【００４１】
ブレード４５で掻き上げられた塵埃は接続管３４，延長管３２，ホース２８を介して掃除機本体１０の集塵フィルタ２７へと吸引されていく。
【００４２】
吸込口本体３５が床面から離れると、吸込室４０の空気圧が大気圧と同じになるので、空気導入口５０から吸入される空気量が減少して回転清掃体４３の回転が停止或いは低下する。
【００４３】
なお、回転清掃体４３が回転するとき、ブレード４５の先端部５１が、回転清掃体４３の半径方向を基準として基部５８よりも回転方向の上流側へ傾くよう取付けられているので、ブレード４５の先端部５１が軸芯部１６から半径方向に直立する場合よりも、柔軟で且つ保形性を有するブレード４５が床面と接触する接触面積が広くなり、集塵効果或いは掻き出し効果が向上する。
【００４４】
このように、吸込口本体３６に回転清掃体４３を設け、上ケース３７に形成された空気導入口５０から吸込口本体３６の周囲にある外気を吸引させ、吸引された空気流を利用して回転清掃体４３を回転させるようにしているので、モータなどの特別な駆動源を用いずに、回転清掃体４３を回転させることができて、コンパクトで安価な吸込口体８を得ることができる。
【００４５】
加えて、ブレード４５の先端部５１に、軸線方向（左右方向４２）へ延びて吸込口３９の端部とほぼ等しい位置Ａに達する延長部５２を形成しているため、回転清掃体４３の端部と、吸込口３９の端部との間の間隙を実質的になくすことができるので、回転清掃体４３によって払拭清掃ができない部分がなくなり、塵埃の取残しを防止することができる。
【００４６】
また、回転清掃体４３の端部と吸込口３９の端部との間の間隙を実質的になくすことができるため、糸屑や髪の毛などが入り込んで、回転清掃体４３の回転軸１７に絡みつくことを防止することができる。これにより、回転清掃体４３の回転が妨げられて、回転清掃体４３による払拭清掃に支障を生じることをなくすことができ、且つ、回転清掃体４３の回転軸１７から糸屑や髪の毛などを除去する手間を省くことが可能となる。
【００４７】
また、回転清掃体４３の軸線方向（左右方向４２）と垂直に交わる面に平行な方向へ立上がる立上部５３をブレード４５端部の基部５８側に有して、ブレード４５端部の先端部５１側に延長部５２を形成するようにしているので、回転清掃体４３の軸芯部４４或いはブレード押え４６と、ブレード４５の基部５８との境界部の形状を現状のまま保つことができ、この部分に応力が集中して亀裂が入り易くなるようなことを防止することが可能となる。
【００４８】
尚、ブレード４５の端部における、基部５８側の立上部５３と、先端部５１側の延長部５２の傾斜部５４との境界部分が、薄肉で柔軟なブレード４５の端部の途中になることから、この部分に応力集中が起こるようなことがなく、ブレード４５の長寿命化を図ることができる。
【００４９】
また、ブレード４５端部の基部５８側に立上部５３を有して延長部５２を形成しているので、該延長部５２が、吸込口３９の軸受支持部４９と干渉することを防止することができる。
【００５０】
さらに、上記延長部５２を形成したブレード４５を、回転清掃体４３の軸芯部４４に対して１８０度位相のずれた位置に、対をなすように（図２では３対となっている）取付けることにより、回転清掃体４３の周方向に対するバランスが良くなり、スムーズで安定した回転を得ることができる。
【００５１】
また、上記ブレード４５を、図２・図４に示すように、回転清掃体４３の軸芯部４４の回りに、螺旋状に取付けることにより、空気導入口５０から導入された空気がブレード４５の軸線方向（左右方向４２）に対し時間がずれて当たるようになるので、各ブレード４５は導入された空気流から持続的な回転力を得られることとなり、結果として回転清掃体４３は、安定した回転を行うことができる。
【００５２】
そして、ブレード４５および延長部５２は合成ゴムなどの弾性を有するエラストマから成っているが、このような柔軟なブレード４５の先端部５１に形成された延長部５２は、片持ち状態となっているため、ブレード４５の他の部分に比べて特に変形し易く、回転清掃体４３の回転に伴い、図４・図５に仮想線で示すように、慣性でその場に残ろうとして容易に回転方向上流側へ屈曲されることとなる。このように、延長部５２が回転方向上流側へ屈曲されると、ブレード４５が全体として空気流を受け止め易い形状となるので、延長部５２が屈曲されない場合に比べて、より大きな回転力を得ることが可能となる。特に、ブレード４５が回転清掃体４３の軸芯部４４の回りに螺旋状に取付けられている場合には、図５に実線で示すように、屈曲前の延長部５２は回転方向下流側へ向いており、ブレード４５は全体として空気流を受け流し易い形状となっているので、一層、上記延長部５２の屈曲による効果が大きくなる。
【００５３】
そして、上記したような吸込口体３３を、電気掃除機本体２４に接続して使用することにより、掃除機の清掃能力を向上することが可能となる。
【００５４】
以上、この発明の実施の形態１を図面により詳述してきたが、具体的な構成はこの実施の形態１に限らず、この発明の要旨を逸脱しない範囲の設計の変更等があってもこの発明に含まれる。
【００５５】
【発明の効果】
以上説明してきたように、請求項１の発明によれば、前記ブレードの端部には前記軸受の周囲まで延び且つ前記吸込口の端部とほぼ等しい位置まで延設された延長部が設けられているため、回転清掃体の端部と、吸込口の端部との間の間隙を実質的になくすことができるので、回転清掃体によって払拭清掃ができない部分がなくなり、特に壁際まで塵埃の取残しを防止することができる。
【００５６】
また、回転清掃体の端部と吸込口の端部との間の間隙を実質的になくすことができるため、糸屑や髪の毛などが入り込んで、回転清掃体の回転軸に絡みつくことを防止することができる。これにより、回転清掃体の回転が妨げられて、回転清掃体による払拭清掃に支障を生じることをなくすことができ、且つ、回転清掃体の回転軸から糸屑や髪の毛などを除去する手間を省くことが可能となる。
【００５７】
また、請求項１の発明によれば、上記ブレードを、回転清掃体の軸芯部の回りに、螺旋状に取付けることにより、空気導入口から導入された空気がブレードの軸線方向に対し時間がずれて当たるようになるので、各ブレードは導入された空気流から持続的な回転力を得られることとなり、結果として回転清掃体は、安定した回転を行うことができる。
【００５８】
そして、柔軟で且つ保形性のあるブレードの先端部に形成された延長部は、片持ち状態となっているため、ブレードの他の部分に比べて特に変形し易く、回転清掃体の回転に伴い、慣性でその場に残ろうとして容易に回転方向上流側へ屈曲されることとなる。このように、延長部が回転方向上流側へ屈曲されると、ブレードが全体として空気流を受け止め易い形状となるので、延長部が屈曲されない場合に比べて、より大きな回転力を得ることが可能となる。特に、ブレードが回転清掃体の軸芯部の回りに螺旋状に取付けられている場合には、屈曲前の延長部は回転方向下流側へ向いており、ブレードは全体として空気流を受け流し易い形状となっているので、一層、上記延長部の屈曲による効果が大きくなる。
【００５９】
また、請求項２の発明によれば、ブレードの両端部には、前記回転軸から半径方向に立上がる立上部と、この立上部から前記延長部の端部へ向かう傾斜部とが形成されているので、ブレードの端部の基部に応力が集中して亀裂が入り易くなるようなことを防止することが可能となる。即ち、ブレードの端面には応力が集中するような内角の角部が回転軸に接して設けられていないので、ブレードの端部の半径方向に延びる端面を有する基部には回転軸から作用する応力で亀裂が生じ易い部分がなく、ブレードの長寿命化を図ることができる。
【００６０】
また、請求項３の発明によれば、上記延長部を設けたブレードを、回転清掃体の軸芯部に対して１８０度位相のずれた位置に、少くとも一対取付けることにより、回転清掃体の周方向に対するバランスが良くなり、スムーズで安定した回転を得ることができる。
【００６１】
また、請求項４の発明によれば、上記請求項１〜３と同様の効果を得られると共に、上記したような吸込口体を接続して使用することにより、掃除機の清掃能力を向上することが可能となる、という実用上有益な効果を発揮し得る。
【図面の簡単な説明】
【図１】本発明の実施の形態１の全体概略斜視図である。
【図２】図１の吸込口体の断面図である。
【図３】図１の吸込口体の底面図である。
【図４】図２の回転清掃体の平面図である。
【図５】回転清掃体の端部の部分拡大概略図である。
【図６】従来例の全体概略側面図である。
【図７】図６の吸込口体の断面図である。
【図８】図６の吸込口体の底面図である。
【符号の説明】
３３  吸込口体
３５  吸込口本体
３９  吸込口
４０  吸込室
４３  回転清掃体
４５  ブレード
４７  回転軸
４８  軸受
５０  空気導入口（駆動手段）
５２  延長部
５８  基部
【図１】
0003656792.tif 000002
【図２】
0003656792.tif 000003
【図３】
0003656792.tif 000004
【図４】
0003656792.tif 000005
【図５】
0003656792.tif 000006
【図６】
0003656792.tif 000007
【図７】
0003656792.tif 000008
【図８】
0003656792.tif 000009